(57)【特許請求の範囲】
【請求項１】
保持枠本体及び該保持枠本体にネジ固定してその幅方向両端に保持溝を形成する枠カバーの一対の枠材からなり且つ上記保持溝の両端側に受止部を配置した保持枠を用い，該保持枠の上記保持溝に金属板加工の抜止金具を介して屋根パネル，壁面パネル等屋外構築物におけるパネル端部を保持して耐風圧性を有するようにしたパネル保持装置であって，上記金属板加工の抜止金具をパネル端部長手方向部分的に配置するとともに該抜止金具を，パネル受溝と，該パネル受溝の交差方向両側外方に向けて起立突出して上記保持溝の受止部に引掛係止自在の係止突片と，パネル受溝の交差方向両側にパネル受入方向に向けて溝幅を狭窄化するように傾斜突出してパネル端部に弾発係止する弾発傾斜片とを備えて形成してなることを特徴とする耐風圧性を有するパネル保持装置。
【請求項２】
上記金属板加工の抜止金具の係止突片を，上記パネル受溝を画する両側壁の長手方向両端に折曲加工を施して形成するとともに弾発傾斜片を，該係止突片間のパネル受溝を画する両側壁にパネル受溝内側への切起し加工を施して形成してなることを特徴とする請求項１に記載の耐風圧性を有するパネル保持装置。
【請求項３】
上記弾発傾斜片を，パネル受溝を形成する両側壁にそれぞれ対向して片側の側壁に一対配置してなることを特徴とする請求項１又は２に記載の耐風圧性を有するパネル保持装置。
【請求項４】
上記弾発傾斜片のパネル端部の弾発係止を，抜止金具における金属板のスプリング作用と該弾発傾斜片エッジの引掛作用によって行ってなることを特徴とする請求項１，２又は３に記載の耐風圧性を有するパネル保持装置。
【請求項５】
保持枠本体及び該保持枠本体に固定してその幅方向両端に保持溝を形成する枠カバーの一対の枠材からなり且つ上記保持溝の両端側に受止部を配置した保持枠に屋根パネル，壁面パネル等屋外構築物におけるパネル端部を保持するについて，該パネル端部長手方向部分的に配置使用してパネルの耐風圧性を有するようにしたパネル保持装置に用いる金属板加工の抜止金具であって，パネル受溝と，該パネル受溝の交差方向両側外方に向けて起立突出して上記保持溝の受止部に引掛係止自在の係止突片と，パネル受溝の交差方向両側にパネル受入方向に向けて溝幅を狭窄化するように傾斜突出してパネル端部に弾発係止する弾発傾斜片とを備えてなることを特徴とする耐風圧性を有するパネル保持装置の抜止金具。
【発明の詳細な説明】
【０００１】
【発明の属する技術分野】
本発明は，カーポート，テラス等の屋外構築物において風圧を受けるように配置される屋根パネル，壁面パネル等のパネルを保持する耐風圧性を有するパネル保持装置及びその抜止金具に関する。
【０００２】
【従来の技術】
この種パネル保持装置は，例えばカーポートの屋根パネルの保持に典型的に見られるように，例えば屋根フレームにおける垂木等のパネル保持枠にその長手方向に向けて保持溝を形成し，該保持溝に屋根パネル端部を挿入保持するようにしたものとされ，例えば保持溝へのパネル端部の挿入保持は，保持溝に設置したパッキングによってパネルを可及的強固に保持するように行なうものとされている。
【０００３】
【発明が解決しようとする課題】
しかし乍らこの場合，屋外構築物であるカーポートは，台風等によって強い風圧を受けることがあり，強い風圧を受けると，上記保持溝に挿入保持した，例えばアクリル，ポリカーボネート等の樹脂製とされる屋根パネルは，例えば下から屋根方向に向けた吹上力によって上向きに撓む結果，そのパネル端部がパネル保持枠の保持溝からその側方外側に向けて引き出され，該パネル端部が保持溝から脱出して，パネル保持枠によるパネルの保持が損なわれる傾向を招き易いという問題が残されている。
【０００４】
本発明はかかる事情に鑑みてなされたもので，その解決課題とするところは，パネルの保持を可及的に簡易且つ確実なものとするとともに台風等の強い風圧を受けてもパネル端部の保持溝からの脱出を防止し得るようにした耐風圧性を有するパネル保持装置を提供し且つこれに好適に用いることができる抜止金具を提供するにある。
【０００５】
【課題を解決するための手段】
上記課題に沿って本発明は，保持枠本体とこれにネジ固定した枠カバーとの一対の枠材によるその幅方向両端に形成した保持溝にパネル端部を保持するについて，金属板加工の抜止金具を用いてこれを介してパネルの保持を行うとともに該金属板加工の抜止金具を，パネル受溝と，上記保持溝の受止部に引掛係止自在の係止突片と，パネル端部に弾発係止する弾発傾斜片とを備えて形成することによって，パネルが強い風圧を受けても，上記係止突片が保持溝の受止部に引掛係止してパネル端部を保持溝に引寄せ状に保持し，その保持溝からの脱出を防止するとともに弾発係止片が，ネジ止め，接着等の固定措置を必要とすることなく，パネル受溝に対するパネル端部の受入保持を，簡易且つ確実にして強固な固定一体的に行って，抜止金具のパネル端部からの移動や外れの可能性を可及的に減少し，これによって一対の枠材による保持溝のパネル端部保持の耐風圧性を高度に確保するようにしたものであって，即ち請求項１に記載の発明を，保持枠本体及び該保持枠本体に固定してその幅方向両端に保持溝を形成する枠カバーの一対の枠材からなり且つ上記保持溝の両端側に受止部を配置した保持枠を用い，該保持枠の上記保持溝に金属板加工の抜止金具を介して屋根パネル，壁面パネル等屋外構築物におけるパネル端部を挿入保持して耐風圧性を有するようにしたパネル保持装置であって，上記金属板加工の抜止金具をパネル端部長手方向部分的に配置するとともに該抜止金具を，パネル受溝と，該パネル受溝の交差方向両側外方に向けて起立突出して上記保持溝の受止部に引掛係止自在の係止突片と，パネル受溝の交差方向両側にパネル受入方向に向けて溝幅を狭窄化するように傾斜突出してパネル端部に弾発係止する弾発傾斜片とを備えて形成してなることを特徴とする耐風圧性を有するパネル保持装置としたものである。
【０００６】
請求項２に記載の発明は，上記に加えて，上記係止突片とパネル保持枠の受止部との引掛係止をパネル端部の表裏両面にして抜止金具の両端で行うとともにパネル端部のパネル保持溝による保持を同じくパネル端部の表裏両面で行って，パネル保持の耐風圧性を高度に確保し得るものとするように，これを，上記金属板加工の抜止金具の係止突片を，上記パネル受溝を画する両側壁の長手方向両端に折曲加工を施して形成するとともに弾発傾斜片を，該係止突片間のパネル受溝を画する両側壁にパネル受溝内側への切起し加工を施して形成してなることを特徴とする請求項１に記載の耐風圧性を有するパネル保持装置としたものである。
【０００７】
請求項３に記載の発明は，同じく上記に加えて，抜止金具によるパネル端部の保持を２対の対向する弾発係止片によって行う形態のものとするように，これを，上記弾発傾斜片を，パネル受溝を形成する両側壁にそれぞれ対向して片側の側壁に一対配置してなることを特徴とする請求項１又は２に記載の耐風圧性を有するパネル保持装置としたものである。
【０００８】
請求項４に記載の発明は，同じく上記に加えて，弾発傾斜片のパネル端部の弾発係止を金属板加工によるそのスプリング作用とエッジの引掛作用を用いて行うことによって，パネル端部を強固に挟持して外れの可能性を可及的に解消したものとするように，これを，上記弾発傾斜片のパネル端部の弾発係止を，抜止金具における金属板のスプリング作用と該弾発傾斜片エッジの引掛作用によって行ってなることを特徴とする請求項１，２又は３に記載の耐風圧性を有するパネル保持装置としたものである。
【０００９】
請求項５に記載の発明は，保持枠本体とこれにネジ固定した枠カバーとの一対の枠材によるその幅方向両端に形成した保持溝にパネル端部を保持するについて，パネル受溝と，上記保持溝の受止部に引掛係止自在の係止突片と，パネル端部に弾発係止する弾発傾斜片とを備えて形成することによって，パネルが強い風圧を受けても，上記係止突片が保持溝の受止部に引掛係止してパネル端部を保持溝に引寄せ状に保持し，その保持溝からの脱出を防止するとともに弾発係止片が，ネジ止め，接着等の固定措置を必要とすることなく，パネル受溝に対するパネル端部の受入保持を，簡易且つ確実にして強固な固定一体的に行って，抜止金具のパネル端部からの移動や外れの可能性を可及的に減少し，これによって一対の枠材による保持溝のパネル端部保持の耐風圧性を高度に確保するパネル保持装置に好適に用いることができる抜止金具を提供するように，これを，保持枠本体及び該保持枠本体に固定してその幅方向両端に保持溝を形成する枠カバーの一対の枠材からなり且つ上記保持溝の両端側に受止部を配置した保持枠に屋根パネル，壁面パネル等屋外構築物におけるパネル端部を保持するについて，該パネル端部長手方向部分的に配置使用してパネルの耐風圧性を有するようにしたパネル保持装置に用いる金属板加工の抜止金具であって，パネル受溝と，該パネル受溝の交差方向両側外方に向けて起立突出して上記保持溝の受止部に引掛係止自在の係止突片と，パネル受溝の交差方向両側にパネル受入方向に向けて溝幅を狭窄化するように傾斜突出してパネル端部に弾発係止する弾発傾斜片とを備えてなることを特徴とする耐風圧性を有するパネル保持装置の抜止金具としたものである。
【００１０】
【発明の実施の形態】
以下図面の例に従って本発明を更に具体的に説明すると，Ａは，例えばカーポートとした屋外構築物の屋根におけるパネル保持装置であって，該パネル保持装置Ａは，保持枠本体１１及び該保持枠本体１１にネジ１５固定してその幅方向両端に保持溝１７を形成する枠カバー１３の一対の枠材からなり且つ上記保持溝１７の両端側に受止部１９を配置した保持枠１を用い，該保持枠１の上記保持溝１７に金属板加工の抜止金具２を介して屋根パネル，壁面パネル等屋外構築物におけるパネル３端部を保持して耐風圧性を有するものとしてあり，このとき上記金属板加工の抜止金具２は，これをパネル３端部長手方向部分的に配置するとともに該抜止金具２を，パネル受溝２１と，該パネル受溝２１の交差方向両側外方に向けて起立突出して上記保持溝１７の受止部１９に引掛係止自在の係止突片２２と，パネル受溝２１の交差方向両側にパネル３受入方向に向けて溝幅を狭窄化するように傾斜突出してパネル３端部に弾発係止する弾発傾斜片２３とを備えて形成したものとしてある。
【００１１】
即ち本例にあって上記パネル保持枠１は，例えば上記カーポートの屋根におけるアルミ押出材を用いることによってアルミ製とした垂木としてあり，本例にあって該パネル保持枠１の垂木は，保持枠本体１１をなす垂木本体と，該保持枠本体１１に固定してその幅方向両側端に上記保持溝１７を形成する枠カバー１３をなす垂木カバーとの一対の枠材によって構成してあり，上記保持枠本体１１の幅方向中央上端に上方に突設した受座１２に，枠カバー１３の裏面に設置した一対の位置決め突起１４間に形成される被嵌溝によって該受座１２を被嵌するように，枠カバー１３を載置し，長手方向所定間隔の枠カバー１３側からのネジ１５を上記受座１２間のネジ溝に対してタップを切るように螺入することによって固定して，一体的なパネル保持枠１をなすようにしてある。
【００１２】
このとき本例の上記保持溝１７は，保持枠本体１１と枠カバー１３の各両側端に形成した弾性パッキング１６の基部を受入設置するパッキング溝を形成するようにそれぞれ幅方向に対向して突設した，保持枠本体１１において上向き，枠カバー１３において下向きの各幅方向一対にして上下配置の突条によって，これらの間に形成配置したものとし，これによって保持溝１７を，幅方向両側端から上記受座１２の突出した寸法，即ち高さに応じて形成されたパネル保持枠１の内部空間１８に連通する連通溝をなすものとするとともに該連通溝をなす上下配置にして内部空間１８側の突条を，上記抜止金具２の係止突片２２を引掛係止自在とするパネル保持枠１側の受止部１９として該受止部１９を保持溝１７の後方両側，本例にあっては後方上下に配置して備えたものとしてある。
【００１３】
本例にあって上記抜止金具２は，金属板を加工した金属板加工の金具とし，その係止突片を，上記パネル受溝を画する両側壁の長手方向両端に折曲加工を施して形成するとともに弾発傾斜片を，該係止突片間のパネル受溝を画する両側壁にパネル受溝内側への切起し加工を施して形成してあり，このとき上記弾発傾斜片は，これを，パネル受溝を形成する両側壁にそれぞれ対向して片側の側壁に一対配置したものとし，また上記弾発傾斜片のパネル端部の弾発係止は，これを，抜止金具における金属板のスプリング作用と該弾発傾斜片エッジの引掛作用によって行ったものとしてある。
【００１４】
即ち上記パネル受溝２１及び係止突片２２は，これらを折曲加工によって形成し，後述の弾発傾斜片２３を上記係止突片２２と位置を幅方向に変位したパネル受溝２１内側への切起し加工によって形成したものとしてあり，例えば，その大きさを，パネル３端部長手方向の沿う幅を数ｃｍ，面内方向にパネル３端部を受け入れる高さを１〜２ｃｍ程度とした，矩形のステンレス板に上記折曲加工と切起こし加工を施したステンレス製にして幅広のピース状の金具としてある。このとき抜止金具２は，これが，その係止突片２２をパネル受溝２１の交差方向両側外方に向けて突出して備えたものとして，上述のパネル保持枠１における保持溝１７後方両側の受止部１９と対応するようにし，また上記抜止金具２のパネル受溝２１は，これが，該パネル受溝２１の溝幅をパネル受入方向に向けて狭窄化するように傾斜突出した弾発傾斜片２３を備え，上記パネル受溝２１によるパネル３端部の受入保持を，該弾発傾斜片２３によるパネル３端部の弾発係止による固定一体的な保持としたものとしてあり，本例にあって該弾発傾斜片２３は，これを上記溝幅を双方から狭窄化するように，パネル受溝２１に対して，例えば幅方向に並列するように２対を対向設置したものとしてある。
【００１５】
本例にあって抜止金具２は，パネル３の板圧に応じた厚さに金属板をコ字状に折曲して，該金属板を基部としてその内側にパネル受溝２１を形成し，その幅方向両端の前後に上記係止突片２２を，パネル受溝２１交差方向両側外方に向けて，例えば基部から垂直の起立片をなすように突出配置する一方，幅方向中間位置に上記係止突片２２と位置を変位して，その幅方向内側に，本例にあって並列するように上記弾発傾斜片２３を基部両面からそれぞれパネル受溝２１の内側にパネル受入方向，即ちパネル受溝２１の奥行方向に向けて対向して対をなすように傾斜突出し，上記溝幅を双方，即ちパネルの表裏両面側から狭窄化するように対向設置したものとしてあり，これによって抜止金具２は，幅方向端部においてそれぞれ両側に向けて垂直に起立した幅方向両端各一対のパネル受溝２１交差方向の係止突片２２と，幅方向中間位置にパネル受溝２１内側に傾斜突出した２対の対向する弾発傾斜片２３を備え，幅方向及び厚さ方向にそれぞれ対称の形状をなすように構成してある。
【００１６】
このとき上記両端各両側の係止突片２２は，上記パネル保持枠１における両側の受止部１９に引掛係止自在の突出高さを有し，抜止金具２として受止部１９に対する引掛係止とこれによる抜止作用を奏するようにしてあり，一方２対の対向する上記弾発傾斜片２３は，基部からパネル受溝２１に対する傾斜角度を，例えば２０度程度とし，パネル３の受入保持に際してスプリング作用による弾発性と奥行方向に向かうエッジの引掛作用によって，パネル３の上記弾発係止による固定一体的な保持を，例えばパネル受溝２１を，上記パネル３端部を挟着する挟着溝をなし，パネル３端部を強固に挟持して外れの可能性を可及的に解消した挟着保持によって行なうようにしたものとしてある。
【００１７】
本例の上記抜止金具２を用いた屋根のパネル保持は，パネル３の端部に抜止金具２のパネル受溝２１を向けて配置し，例えばハンマーによって抜止金具２の基部における折曲した背部分を叩くことによって，抜止金具２を加圧し，弾発傾斜片２３間にパネル３端部を圧入するように，パネル３端部をパネル受溝２１によって被嵌してその受入保持を行うようにし，複数乃至多数の抜止金具２をパネル３端部長手方向に一体的に設置し，該抜止金具２を設置したパネル３を上記保持枠本体１１の上記突条上に載置して，その係止突片２２が受止部１９の突条より内側の上記内部空間１８内に位置するようにし，その後に上記枠カバー１３を保持枠本体１１に載置し，ネジ１５によるこれらの一体的な固定を施すように，これを行なうものとしてあり，これによってパネル保持枠１に保持されたパネル３が台風等の強風を受けても，抜止金具２の係止突片２２が，パネル保持枠１の受止部１９に引掛係止して，パネル３端部をパネル保持枠１の保持溝１７に引寄せ状に保持し，保持溝１７からの脱出を防止する一方，抜止金具２がパネル３端部を強固に挟着してパネル３に一体的に設置される結果，上記係止突片２２の受止部１９による引掛係止がなされても，抜止金具２がパネル３端部において移動したり，外れたりすることがなく，上記係止突片２２の受止部１９に対する引掛係止を確実になし得るようにして，パネル３保持の耐風圧性を高度に確保したものとすることができ，このとき比較的簡易な構造とした上記抜止金具２を用いて，これをパネル３に一体的に設置し，その係止突片２２を受止部１９に引掛係止自在とすればよいから，パネル３の保持を簡易且つ確実になし得て，作業性がよく，簡易な構造にして高度な耐風圧性を確実に確保することができるものとなる。
【００１８】
図示した例は以上のとおりとしたが，パネル受溝をコ字状とし，パネル端部との間で接着，ネジ固定等の固定措置を施すようにすることによって，抜止金具の一体的な設置を行ない，パネル受溝を口狭としてパネル端部の受入保持を弾発的に行うようにし，更に必要に応じてその先端に設置した折曲係止縁をパネルに刻設配置した係止溝に係止するようにし，パネル受溝の内側に多数の引掛突起を突出形成してパネル端部を弾発的に挟持するようにする等して，それぞれ抜止金具の一体的な設置を行ない，また上記弾発傾斜片を用いる場合を含めて，これらを適宜に併用して，抜止金具の一体的な設置を行なうようにすること，係止突片をパネル受溝の交差方向片側外方に向けて突出し，これに応じて受止部をパネル保持枠の上記保持溝後方片側に配置すること，弾発傾斜片を，パネル受入方向に向けて溝幅を片側，即ちパネルの片面から狭窄化するように傾斜突出した片側のものとすること等を含めて，本発明の実施に当って，屋外構築物，パネル，パネル保持枠，その保持溝，抜止金具，パネル，抜止金具のパネル受溝，係止突片，パネル保持枠の受止部，抜止金具の一体的設置，必要に応じて用いる弾発傾斜片等の挟着手段等の各具体的形状，構造，材質，これらの関係，これらに対する付加等は，上記発明の要旨に反しない限り，様々の形態のものとすることができる。
【００１９】
【発明の効果】
本発明は以上のとおりに構成したから，請求項１に記載の発明は，保持枠本体とこれにネジ固定した枠カバーとの一対の枠材によるその幅方向両端に形成した保持溝にパネル端部を保持するについて，金属板加工の抜止金具を用いてこれを介してパネルの保持を行うとともに該金属板加工の抜止金具を，パネル受溝と，上記保持溝の受止部に引掛係止自在の係止突片と，パネル端部に弾発係止する弾発傾斜片とを備えて形成することによって，パネルが強い風圧を受けても，上記係止突片が保持溝の受止部に引掛係止してパネル端部を保持溝に引寄せ状に保持し，その保持溝からの脱出を防止するとともに弾発係止片が，ネジ止め，接着等の固定措置を必要とすることなく，パネル受溝に対するパネル端部の受入保持を，簡易且つ確実にして強固な固定一体的に行って，抜止金具のパネル端部からの移動や外れの可能性を可及的に減少し，これによって一対の枠材による保持溝のパネル端部保持の耐風圧性を確保するようにして，パネルの保持を可及的に簡易且つ確実なものとするとともに台風等の強い風圧を受けてもパネル端部の保持溝からの脱出を防止し得るようにした高度な耐風圧性を有するパネル保持装置を提供することができる。
【００２０】
請求項２に記載の発明は，上記に加えて，上記係止突片とパネル保持枠の受止部との引掛係止をパネル端部の表裏両面にして抜止金具の両端で行うとともにパネル端部のパネル保持溝による保持を同じくパネル端部の表裏両面で行って，パネル保持の耐風圧性を高度に確保し得るものとすることができる。
【００２１】
請求項３に記載の発明は，同じく上記に加えて，抜止金具によるパネル端部の保持を２対の対向する弾発係止片によって行う形態のものとすることができる。
【００２２】
請求項４に記載の発明は，同じく上記に加えて，弾発傾斜片のパネル端部の弾発係止を金属板加工によるそのスプリング作用とエッジの引掛作用を用いて行うことによって，パネル端部を強固に挟持して外れの可能性を可及的に解消したものとすることができる。
【００２３】
請求項５に記載の発明は，保持枠本体とこれにネジ固定した枠カバーとの一対の枠材によるその幅方向両端に形成した保持溝にパネル端部を保持するについて，パネル受溝と，上記保持溝の受止部に引掛係止自在の係止突片と，パネル端部に弾発係止する弾発傾斜片とを備えて形成することによって，パネルが強い風圧を受けても，上記係止突片が保持溝の受止部に引掛係止してパネル端部を保持溝に引寄せ状に保持し，その保持溝からの脱出を防止するとともに弾発係止片が，ネジ止め，接着等の固定措置を必要とすることなく，パネル受溝に対するパネル端部の受入保持を，簡易且つ確実にして強固な固定一体的に行って，抜止金具のパネル端部からの移動や外れの可能性を可及的に減少し，これによって一対の枠材による保持溝のパネル端部保持の耐風圧性を高度に確保するパネル保持装置に好適に用いることができる抜止金具を提供することができる。
【図面の簡単な説明】
【図１】  パネル保持装置の例を示す縦断面図である。
【図２】  抜止金具の平面図である。
【図３】  抜止金具の正面図である。
【図４】  抜止金具の側面図である。
【図５】  パネルと抜止金具の関係を示す斜視図である。
【符号の説明】
Ａ  パネル保持装置
１  パネル保持枠
２  抜止金具
３  パネル
１７  保持溝
１９  受止部
２１  パネル受溝
２２  係止突片
２３  弾発傾斜片
【図１】
0004090207.tif 000002
【図２】
0004090207.tif 000003
【図３】
0004090207.tif 000004
【図４】
0004090207.tif 000005
【図５】
0004090207.tif 000006